(57)【要約】      （修正有）【課題】日常はゴミ箱として使用でき、災害が起きた非常時には収納されたトイレを構成する部材を使いながら、即座に簡易トイレとして使用でき、強い耐荷重を持ちながら、軽く、水洗いもできるゴミ箱兼用簡易トイレを提供する。【解決手段】中空構造の硬質板材で構成される本体３と、硬質板材からなる仕切板と、硬質板材からなる蓋２からなり、本体は、展開した状態において、側面部と底面部が連結しており、側面部と底面部の境界辺は屈曲部とされ、側面部と底面部を折り囲ませて箱型を形成し、仕切板は、仕切部を井桁状に組み付けて、トイレ構成部材Ｇ〜Ｊの収納スペースを形成し、蓋は、天面部に貫通孔を設けることでゴミや排泄物を入れる挿入口を形成し、本体に仕切板を内包し、蓋を被せることでゴミ箱および簡易トイレとして使用する。【選択図】図９
0003214434.tif 000002
【実用新案登録請求の範囲】
【請求項１】
中空構造の硬質板材で構成される本体と、前記硬質板材からなる仕切板と、前記硬質板材からなる蓋からなり、且つ当該本体は、展開した状態において、側面部３−１から３−５と底面部３−６から３−９までが連結しており、当該側面部と当該底面部の境界辺は屈曲部とされ、側面部３−１から３−５と底面部３−６から３−９までを折り囲ませて箱型を形成し、且つ当該仕切板は、仕切部４−１から４−９までを井桁状に組み付けて、収納スペースＡ・Ｂ・Ｃ・Ｄ・Ｅを形成し、且つ当該蓋は、天面部に貫通孔を設けることでゴミや排泄物を入れる挿入口を形成し、当該本体に当該仕切板を内包し、当該蓋を被せることでゴミ箱として使用できることを特徴とするゴミ箱兼用簡易トイレ。
【請求項２】
ゴミ箱兼用簡易トイレの本体側面に、ゴミ袋や排泄用袋がズレ落ちないストッパーを設けたことを特徴とする請求項１に記載のゴミ箱兼用簡易トイレ。
【請求項３】
ゴミ箱兼用簡易トイレの本体側面に、トイレを構成する部材を収納したり、取り出したりできる開閉式の取り出し口を設けたことを特徴とする請求項１または２のいずれか一つに記載のゴミ箱兼用簡易トイレ。
【請求項４】
ゴミ箱兼用簡易トイレの本体内部に、便座として人が腰かけても潰れない耐荷重を強くする、且つゴミとトイレを構成する部材を区分けする仕切板を組み付けたことを特徴とする請求項１から３のいずれか一つに記載のゴミ箱兼用簡易トイレ。
【請求項５】
中空構造の硬質板材がプラスチックであることを特徴とする請求項１から４のいずれか一つに記載のゴミ箱兼用簡易トイレ。
【考案の詳細な説明】
【考案の詳細な説明】
【技術分野】
【０００１】  本考案は、日常ではトイレを構成する部材を収納しながらゴミ箱として使用し、災害が起きた非常時には収納されたトイレを構成する部材を使いながら、即座に簡易トイレとして使用するゴミ箱兼用簡易トイレに関する技術である。
【背景技術】
【０００２】  地震等の災害が生じた際、建物内のトイレが使用できなくなった場合には、多くの場合仮設トイレが利用される。仮説トイレは、運搬により現場に設置でき、水洗処理を必要としないものであり、災害時における利便性が高い。【０００３】  しかし、仮設トイレは運搬により運ぶ必要があるために、災害により道路が使えない状況になれば運ぶことができず、また、トイレは常時必要なものであるために、道路の復旧を待つことができない。  特許文献１には、地域のゴミ収集所に設けられたゴミ収容庫に簡易トイレの機能を付与したものがある。しかし、特許文献１の構造は便座を支える支柱の強度が弱い課題がある。【０００４】  また、特許文献２には、段ボールを組み立てることにより、非常時に簡易トイレとして使用し得る構造体となっている。しかしながら、構造が複雑で、組み立てに手数を要するという課題がある。
【先行技術文献】
【特許文献】
【０００９】
【特許文献１】特開２０１４−５５０５１号（段落番号０００２〜０００４、図４）
【特許文献２】特開２００６−２９６９２５号（段落番号００２２〜００４３、図１０）
【考案の概要】
【考案が解決しようとする課題】
【０００５】  日常ではトイレを構成する部材を収納するスペースを使用でき、且つゴミ箱として使用でき、且つゴミ袋を設置した際、ゴミ袋がズレ落ちないストッパーを使用でき、且つ災害が起きた非常時には収納されたトイレを構成する部材を使いながら、即座に簡易トイレとして使用できるゴミ箱兼用簡易トイレを提供すること、さらに、プラスチック製の中空構造の硬質板材で構成して、便座として非常に強い耐荷重を持ちながら、製品重量を非常に軽くし、水洗いできることを目的としている。
【課題を解決するための手段】
【０００６】  本考案のゴミ箱兼用簡易トイレは、中空構造の硬質板材で構成される本体と、前記硬質板材からなる仕切板と、前記硬質板材からなる蓋からなり、且つ当該本体は、展開した状態において、側面部３−１から３−５と底面部３−６から３−９までが連結しており、当該側面部と当該底面部の境界辺は屈曲部とされ、側面部３−１から３−５と底面部３−６から３−９までを折り囲ませて箱型を形成し、且つ当該仕切板は、仕切部４−１から４−９までを井桁状に組み付けて、収納スペースＡ・Ｂ・Ｃ・Ｄ・Ｅを形成し、且つ当該蓋は、天面部に貫通孔を設けることでゴミや排泄物を入れる挿入口を形成し、当該本体に当該仕切板を内包し、当該蓋を被せることでゴミ箱として使用できるものである。【０００７】  本考案のゴミ箱兼用簡易トイレは、上記ゴミ箱兼用簡易トイレの構成に加え、ゴミ箱兼用簡易トイレの本体側面に、ゴミ袋や排泄用袋がズレ落ちないストッパーを設けたものである。【０００８】  本考案のゴミ箱兼用簡易トイレは、上記ゴミ箱兼用簡易トイレの構成に加え、ゴミ箱兼用簡易トイレの本体側面に、トイレを構成する部材を収納したり、取り出したりできる開閉式の取り出し口を設けたものである。【０００９】  本考案のゴミ箱兼用簡易トイレは、上記ゴミ箱兼用簡易トイレの構成に加え、ゴミ箱兼用簡易トイレの本体内部に、便座として人が腰かけても潰れない耐荷重を強くする、且つゴミとトイレを構成する部材を区分けする仕切板を組み付けたものである。【００１０】  本考案のゴミ箱兼用簡易トイレは、上記ゴミ箱兼用簡易トイレの構成に加え、中空構造の硬質板材がプラスチックである。
【考案の効果】
【００１１】  本考案のゴミ箱兼用簡易トイレは、日常ではトイレを構成する部材を収納しながらゴミ箱として使用することが可能となった。【００１２】  本考案のゴミ箱兼用簡易トイレは、ゴミ袋を設置した際、ゴミ袋をストッパーで押さえることでゴミ袋がズレ落ちないで使用することが可能となった。【００１３】  本考案のゴミ箱兼用簡易トイレは、災害が起きた非常時には本体内部に収納されていたトイレを構成する部材を取り出し、即座に簡易トイレとして使用することが可能となった。【００１４】  本考案のゴミ箱兼用簡易トイレは、プラスチック製の中空構造の硬質板材で構成していることで、非常に強い耐荷重を持ちながら、製品重量が非常に軽く、水洗いすることが可能となった。
【図面の簡単な説明】
【００１５】
【図１】ゴミ箱兼用簡易トイレの斜視図である。
【図２】ゴミ箱兼用簡易トイレの本体から蓋を外した状態の斜視図である。
【図３】ゴミ箱兼用簡易トイレの蓋の斜視図である。
【図４】ゴミ箱兼用簡易トイレの本体の斜視図である。
【図５】ゴミ箱兼用簡易トイレの仕切板の斜視図である。
【図６】ゴミ箱兼用簡易トイレの本体を展開した平面図である。
【図７】ゴミ箱兼用簡易トイレの仕切板の収納スペースの斜視図である。
【図８】トイレを構成する部材をゴミ箱兼用簡易トイレに収納した状態の斜視図である。
【図９】ゴミ箱から簡易トイレとして使用する手順を示す図である。
【図１０】中空構造の硬質板材のＫ−Ｋ断面図である。
【考案を実施するための形態】
【００１６】  以下、本考案の実施の形態を添付した図面により詳細に説明する。
図１〜図１０は、本考案の実施の形態に係る図面であり、図１はゴミ箱兼用簡易トイレの斜視図、図２は本体から蓋を外した状態の斜視図、図３は蓋の斜視図、図４は本体の斜視図、図５は仕切板の斜視図、図６は本体を展開した平面図、図７は仕切板の収納スペースの斜視図、図８はトイレを構成する部材をゴミ箱兼用簡易トイレに収納した状態の斜視図、図９はゴミ箱から簡易トイレとして使用する手順を示す図面、図１０は中空構造の硬質板材のＫ−Ｋ断面図の例である。
【００１７】  ゴミ箱兼用簡易トイレ１は、日常時には図８に示すようにトイレを構成する部材Ｆ〜Ｉを本体３に収納した状態でゴミ箱として使用し、非常時には図２に示すように蓋２を外し、且つ取り出し口ｉｉｉを開いて、本体３内部からトイレを構成する部材Ｆ〜Ｉを取り出した後、排泄物処理袋Ｆを仕切板４と本体３に被せて、さらにその上に蓋２を被せ直して簡易トイレとして使用するものである。
【００１８】  図１において、ゴミ箱兼用簡易トイレ１は幅が２００ｍｍ〜３８０ｍｍ、奥行が２６０ｍｍ〜４６０ｍｍ、高さが３００ｍｍ〜４８０ｍｍの範囲寸法がゴミ箱の内容量の観点と簡易トイレに人が便座するサイズとして好ましいが、居住空間に保管する際に省スペースなゴミ箱として好ましいのが、幅が２６５ｍｍ〜２８５ｍｍ、奥行が３５０ｍｍ〜３８０ｍｍ、高さが３７０ｍｍ〜３９０ｍｍである。なお、各図は、幅が２７５ｍｍ、奥行が３６０ｍｍ、高さが３８０ｍｍの寸法のゴミ箱兼用簡易トイレ１を示したものである。
【００１９】  ゴミ箱兼用簡易トイレ１は、例えば、図１０のプラスチック製中空構造の硬質板材を用いている。本体３は、展開した状態において、側面部３−１から３−５と底面部３−６から３−９までが連結しており、側面部と底面部の境界辺は屈曲部となり、側面部３−１から３−５までの境界辺を図６の平面図を上から見て下側に９０度程度折り曲げ、側面部３−１と３−５を結合させて４面で囲まれた胴枠を形成する。
【００２０】  さらに、底面部３−６から３−９までと側面部３−１から３−４までの境界辺を図６の平面図を上から見て下側に９０度程度折り曲げて、底面部を折り重ねて底を形成させることで、側面部と底面部の５面で囲まれた箱型を形成する。
【００２１】  ゴミ箱兼用簡易トイレ１の蓋２は、天面部２−１に貫通孔を設け、側面部２−２から２−５までと天面部２−１の境界辺は屈曲部となり、各境界辺を下側に９０度程度折り曲げて、蓋を形成する。
【００２２】  ゴミ箱兼用簡易トイレ１の仕切板４は、仕切板４−１の下辺に２本ある切り欠きを仕切板４−３と４−４の上辺右側の切り欠きに差し込み、仕切板４−２の下辺に２本ある切り欠きを仕切板４−３と４−４の上辺左側の切り欠きに斜めに差し込み、仕切板４−５の右辺に２本ある切り欠きを仕切板４−３と４−４の左辺上側の切り欠きに差し込み、仕切板４−６の右辺に２本ある切り欠きを仕切板４−３と４−４の左辺下側の切り欠きに差し込み、仕切板４−７の左辺に２本ある切り欠きを仕切板４−１と４−２の右辺上側の切り欠きに差し込み、仕切板４−９の右辺に２本ある切り欠きを仕切板４−１と４−２の左辺上側の切り欠きに差し込むことで形成する。
【００２３】  ゴミ箱兼用簡易トイレ１の仕切板４は、ゴミもしくは排泄物を投入する空間Ａとトイレを構成する部材を収納する５つの空間Ｂ・Ｃ・Ｄ・Ｅ・Ｆを形成する。仕切板４−１・４−３・４−２・４−４で囲まれた空間Ａに、ゴミ袋もしくは排泄物処理袋を備え付けて、ゴミもしくは排泄物を投入することが可能になる。また、５つの空間は、仕切板４−１・４−４・４−２・４−７で囲まれた空間Ｂ、仕切板４−３・４−１・４−４・４−８で囲まれた空間Ｃ、仕切板４−１・４−３・４−２・４−９で囲まれた空間Ｄ、仕切板４−３・４−５・４−４・４−２で囲まれた空間Ｅ、仕切板４−３・４−６・４−４・４−２・４−５で囲まれた空間Ｆとなる。
【００２４】  なお、上記中空構造の硬質板材は、例えばハニカム構造など、その他の中空構造でもかまわない。
【００２５】  ゴミ箱兼用簡易トイレ１は、仕切板４をその下面部から本体３の穴の開いている上側に差し込み、仕切板４の空間Ｄにゴミ袋（もしくは排泄物用袋）を備え付け、さらに本体３までゴミ袋（もしくは排泄物用袋）を覆いかぶせてから、その上に蓋２を被せることで、ゴミ箱もしくは簡易トイレとして機能する。
【００２６】  ゴミ箱兼用簡易トイレ１は、仕切板４が蓋２を支えることで、便座として大柄な人が腰かけても潰れない耐荷重を保つことが可能となる。
【００２７】  ゴミ箱兼用簡易トイレ１は、図９のゴミ箱として使用した（ａ）から、
【００２８】  本体２側面のストッパーｉとｉｉは、ストッパーの上辺が屈曲し、ゴミ袋（もしくは排泄物用袋）を挟み込むことで、前記袋をズレ落ちなくさせることが可能となる。
【００２９】  本体２側面の取り出し口ｉｉｉは、取り出し口の下辺が屈曲することで、開閉式の扉となり、トイレを構成する部材を収納したり、取り出したりすることが可能となる。
【００３０】  ゴミ箱兼用簡易トイレ１は、上記プラスチック製中空構造の硬質板材を用いているため、製品はとても軽量で、水洗い可能でとても衛生的になる。
【００３１】  つぎに、本実施例のゴミ箱兼用簡易トイレ１を、日常で使用するゴミ箱から非常時に簡易トイレとして使用する手順を、図９に基づいて説明する。
まず図９（ａ）では、ゴミ袋をセットしたゴミ箱として使用する。図９（ｂ）では蓋２を開けて、図９（ｃ）ではゴミ袋を取り出し、図９（ｄ）ではトイレを構成する部材Ｇ〜Ｊを取り出し、その後に図９（ｅ）で排泄物処理袋Ｆを仕切板４と本体３に被せて、その上に蓋２を被せ直すことで、図９（ｆ）の通り簡易トイレとして使用することができる。
【符号の説明】
【００３２】１          ゴミ箱兼用簡易トイレ
２          蓋
３          本体
４          仕切板
Ａ          仕切板４−１・４−３・４−２・４−４で囲まれた空間
Ｂ          仕切板４−１・４−４・４−２・４−７で囲まれた空間
Ｃ          仕切板４−３・４−１・４−４・４−８で囲まれた空間
Ｄ          仕切板４−１・４−３・４−２・４−９で囲まれた空間
Ｅ          仕切板４−３・４−５・４−４・４−２で囲まれた空間
Ｆ          仕切板４−３・４−６・４−４・４−２・４−５で囲まれた空間
Ｇ          生理用品
Ｈ          トイレ処理剤（凝固剤と排泄物処理剤）
Ｉ          除菌シート
Ｊ          トイレットペーパー
ｉ・ｉｉ    ストッパー
ｉｉｉ      取り出し口
【図１】
0003214434.tif 000003
【図２】
0003214434.tif 000004
【図３】
0003214434.tif 000005
【図４】
0003214434.tif 000006
【図５】
0003214434.tif 000007
【図６】
0003214434.tif 000008
【図７】
0003214434.tif 000009
【図８】
0003214434.tif 000010
【図９】
0003214434.tif 000011
【図１０】
0003214434.tif 000012